(57)【要約】【課題】枕木の水平移動防止構造を構成する部材の一つであるコンクリート体について、その材料の使用量の低減、及び、その作製（例えば、型枠工）及び敷設の作業の軽減による省力化と、枕木の水平方向の移動の確実な防止を、共に達成することができる、枕木の水平移動防止構造を提供する。【解決手段】コンクリート枕木２と、コンクリート枕木２を支持するための高さ調整コンクリート体３と、コンクリート枕木２の水平移動を防止するために配設させた枕木移動防止手段４を含む枕木の水平移動防止構造１であって、枕木移動防止手段４が、コンクリート枕木２の側壁を側方から支持するための繊維補強コンクリート体を含むとともに、高さ調整コンクリート体３の中に部分的に埋設されており、かつ、該埋設された部分において、レール５からの水平力に対する抵抗力を高めるための形態（例えば、帯状の凸部）４ｂを有する、枕木の水平移動防止構造１。【選択図】図１
2016037737.tif 000002
【特許請求の範囲】
【請求項１】
コンクリート枕木と、上記コンクリート枕木の下方に配設された、上記コンクリート枕木を支持するための高さ調整コンクリート体と、上記コンクリート枕木の水平移動を防止するために配設させた枕木移動防止手段を含む枕木の水平移動防止構造であって、
上記枕木移動防止手段が、上記コンクリート枕木の側壁を側方から支持するための繊維補強コンクリート体を含むとともに、上記高さ調整コンクリート体の中に部分的に埋設されており、かつ、該埋設された部分において、レールからの水平力に対する抵抗力を高めるための形態を有することを特徴とする枕木の水平移動防止構造。
【請求項２】
上記枕木移動防止手段の、レールからの水平力に対する抵抗力を高めるための形態が、（ａ）上記繊維補強コンクリート体に形成された孔（ただし、該孔の中には、上記高さ調整コンクリート体を形成するコンクリートが充填されるものとする。）、（ｂ）上記繊維補強コンクリート体に形成された凸部、（ｃ）上記繊維補強コンクリート体に形成された凹部、及び、（ｄ）上記繊維補強コンクリート体の形状としての、上記高さ調整コンクリート体の上面の高さ地点から下方に向かって水平方向の断面積が漸増する形状、の中から選ばれる一つまたは二つ以上の組み合わせである請求項１に記載の枕木の水平移動防止構造。
【請求項３】
上記枕木移動防止手段の、レールからの水平力に対する抵抗力を高めるための形態が、上記（ｂ）上記繊維補強コンクリート体に形成された凸部であり、
上記繊維補強コンクリート体が、鉛直方向に延びる板状の本体部を有し、
上記（ｂ）上記繊維補強コンクリート体に形成された凸部が、上記鉛直方向に延びる板状の本体部の下端にて逆Ｔ字状の鉛直方向の断面を与える、水平方向に延びる帯状の２つの凸部である請求項２に記載の枕木の水平移動防止構造。
【請求項４】
上記枕木移動防止手段の、レールからの水平力に対する抵抗力を高めるための形態が、上記繊維補強コンクリート体を構成する一対の、孔を有するコンクリート部材と、該孔に挿通して該一対のコンクリート部材を連結するための棒状体の組み合わせである請求項１に記載の枕木の水平移動防止構造。
【請求項５】
上記繊維補強コンクリート体を構成する一対のコンクリート部材の各孔が、丸孔または長孔であり、かつ、該一対のコンクリート部材の各孔に、上記棒状体として、上記丸孔に対応する１本の棒状体、または、上記長孔に対応する２本以上の棒状体もしくはこれら２本以上の棒状体を相互に固着させたものが挿通されている請求項４に記載の枕木の水平移動防止構造。
【請求項６】
上記繊維補強コンクリート体を構成する一対のコンクリート部材の各孔が、切欠溝であり、かつ、該一対のコンクリート部材の各孔に、上記棒状体が挿通されている請求項４に記載の枕木の水平移動防止構造。
【請求項７】
上記棒状体は、上記一対のコンクリート部材の各孔に支持させる部分が略逆Ｕ字状に形成され、かつ他の部分が直線状に形成された棒状体である請求項６に記載の枕木の水平移動防止構造。
【請求項８】
上記枕木移動防止手段の、レールからの水平力に対する抵抗力を高めるための形態が、上記繊維補強コンクリート体を構成する一対のコンクリート部材と、該一対のコンクリート部材の中に両端が埋設され、かつ上記高さ調整コンクリート体の中に略Ｕ字状の形状になるように配設されたＵ型棒状体の組み合わせである請求項１に記載の枕木の水平移動防止構造。
【請求項９】
上記枕木移動防止手段が、上記コンクリート枕木の両端の４つの角部の各々を支持するように水平断面が略Ｌ字状の４つの部材からなる請求項１〜８のいずれか１項に記載の枕木の水平移動防止構造。
【請求項１０】
上記枕木移動防止手段が、上記コンクリート枕木の両端の各々を支持するように水平断面が略コの字状の２つの部材からなる請求項１〜８のいずれか１項に記載の枕木の水平移動防止構造。
【請求項１１】
上記枕木移動防止手段が、コンクリート枕木の両端部の間の中間部分である幅が中央に向かって漸減する部分を支持するように、上方から見て略ハの字状である２つの部材が、コンクリート枕木の中央に対して対称に合計で４つ配設されたものからなる請求項１〜８のいずれか１項に記載の枕木の水平移動防止構造。
【発明の詳細な説明】
【技術分野】
【０００１】
本発明は、枕木の水平移動防止構造に関する。
【背景技術】
【０００２】
従来、レールからの水平力に対する枕木の水平移動の抵抗力を高めるために、枕木を支持する種々の構造が知られている。
例えば、特許文献１の図８及び図１０に、枕木１１の側方に、バラスト２１を介して、バラスト止めコンクリート１５を配設してなる構造が、記載されている。
【先行技術文献】
【特許文献】
【０００３】
【特許文献１】特開平８−１４４２０６号公報
【発明の概要】
【発明が解決しようとする課題】
【０００４】
枕木の側方にコンクリート体を配設して、枕木の水平方向の移動を防止する場合、該コンクリート体の容量及び重量が大きいため、コンクリート材料の使用量が大きく、かつ、該コンクリート体の作製（例えば、型枠工）や敷設に際して、多大な労力を要していた。
本発明は、枕木の水平移動防止構造を構成する部材の一つであるコンクリート体について、その材料の使用量の低減、及び、その作製（例えば、型枠工）及び敷設の作業の軽減による省力化を図ることができ、かつ、枕木の水平方向の移動を確実に防止することができる、枕木の水平移動防止構造を提供することを目的とする。
【課題を解決するための手段】
【０００５】
本発明者は、上記課題を解決するために鋭意検討した結果、コンクリート枕木と、コンクリート枕木を支持するための高さ調整コンクリート体と、コンクリート枕木が水平に移動するのを防止するための枕木移動防止手段を含む枕木の水平移動防止構造であって、上記枕木移動防止手段として、コンクリート枕木の側壁を側方から支持するための繊維補強コンクリート体を含むとともに、高さ調整コンクリート体の中に部分的に埋設されており、かつ、該埋設された部分において、レールからの水平力に対する抵抗力を高めるための形態を有するものを用いれば、上記課題を達成しうることを見出し、本発明を完成した。
【０００６】
すなわち、本発明は、以下の［１］〜［１１］を提供するものである。
［１］  コンクリート枕木と、上記コンクリート枕木の下方に配設された、上記コンクリート枕木を支持するための高さ調整コンクリート体と、上記コンクリート枕木の水平移動を防止するために配設させた枕木移動防止手段を含む枕木の水平移動防止構造であって、上記枕木移動防止手段が、上記コンクリート枕木の側壁を側方から支持するための繊維補強コンクリート体を含むとともに、上記高さ調整コンクリート体の中に部分的に埋設されており、かつ、該埋設された部分において、レールからの水平力に対する抵抗力を高めるための形態を有することを特徴とする枕木の水平移動防止構造。
［２］  上記枕木移動防止手段の、レールからの水平力に対する抵抗力を高めるための形態が、（ａ）上記繊維補強コンクリート体に形成された孔（ただし、該孔の中には、上記高さ調整コンクリート体を形成するコンクリートが充填されるものとする。）、（ｂ）上記繊維補強コンクリート体に形成された凸部、（ｃ）上記繊維補強コンクリート体に形成された凹部、及び、（ｄ）上記繊維補強コンクリート体の形状としての、上記高さ調整コンクリート体の上面の高さ地点から下方に向かって水平方向の断面積が漸増する形状、の中から選ばれる一つまたは二つ以上の組み合わせである、上記［１］に記載の枕木の水平移動防止構造。
［３］  上記枕木移動防止手段の、レールからの水平力に対する抵抗力を高めるための形態が、上記（ｂ）上記繊維補強コンクリート体に形成された凸部であり、上記繊維補強コンクリート体が、鉛直方向に延びる板状の本体部を有し、上記（ｂ）上記繊維補強コンクリート体に形成された凸部が、上記鉛直方向に延びる板状の本体部の下端にて逆Ｔ字状の鉛直方向の断面を与える、水平方向に延びる帯状の２つの凸部である、上記［２］に記載の枕木の水平移動防止構造。
【０００７】
［４］  上記枕木移動防止手段の、レールからの水平力に対する抵抗力を高めるための形態が、上記繊維補強コンクリート体を構成する一対の、孔を有するコンクリート部材と、該孔に挿通して該一対のコンクリート部材を連結するための棒状体の組み合わせである、上記［１］に記載の枕木の水平移動防止構造。
［５］  上記繊維補強コンクリート体を構成する一対のコンクリート部材の各孔が、丸孔または長孔であり、かつ、該一対のコンクリート部材の各孔に、上記棒状体として、上記丸孔に対応する１本の棒状体、または、上記長孔に対応する２本以上の棒状体もしくはこれら２本以上の棒状体を相互に固着させたものが挿通されている、上記［４］に記載の枕木の水平移動防止構造。
［６］  上記繊維補強コンクリート体を構成する一対のコンクリート部材の各孔が、切欠溝であり、かつ、該一対のコンクリート部材の各孔に、上記棒状体が挿通されている、上記［４］に記載の枕木の水平移動防止構造。
［７］  上記棒状体は、上記一対のコンクリート部材の各孔に支持させる部分が略逆Ｕ字状に形成され、かつ他の部分が直線状に形成された棒状体である、上記［６］に記載の枕木の水平移動防止構造。
【０００８】
［８］  上記枕木移動防止手段の、レールからの水平力に対する抵抗力を高めるための形態が、上記繊維補強コンクリート体を構成する一対のコンクリート部材と、該一対のコンクリート部材の中に両端が埋設され、かつ上記高さ調整コンクリート体の中に略Ｕ字状の形状になるように配設されたＵ型棒状体の組み合わせである、上記［１］に記載の枕木の水平移動防止構造。
［９］  上記枕木移動防止手段が、上記コンクリート枕木の両端の４つの角部の各々を支持するように水平断面が略Ｌ字状の４つの部材からなる、上記［１］〜［８］のいずれかに記載の枕木の水平移動防止構造。
［１０］  上記枕木移動防止手段が、上記コンクリート枕木の両端の各々を支持するように水平断面が略コの字状の２つの部材からなる、上記［１］〜［８］のいずれかに記載の枕木の水平移動防止構造。
［１１］  上記枕木移動防止手段が、コンクリート枕木の両端部の間の中間部分である幅が中央に向かって漸減する部分を支持するように、上方から見て略ハの字状である２つの部材が、コンクリート枕木の中央に対して対称に合計で４つ（換言すると、略ハの字状の２つの部材が、２組）配設されたものからなる、上記［１］〜［８］のいずれかに記載の枕木の水平移動防止構造。
【発明の効果】
【０００９】
本発明の枕木の水平移動防止構造によれば、該水平移動防止構造を構成する部材の一つであるコンクリート体について、その材料の使用量の低減、及び、その作製（例えば、型枠工）及び敷設の作業の軽減による省力化と、枕木の水平方向の移動の確実な防止を、共に達成することができる。
【図面の簡単な説明】
【００１０】
【図１】本発明の枕木の水平移動防止構造の一例を示す断面図（ただし、枕木移動防止手段については、正面から見た取付位置を示す。）である。
【図２】図１に示す実施形態例における枕木移動防止手段の取付位置を説明するための平面図である。
【図３】図１に示す枕木の水平移動防止構造中の枕木移動防止手段を示す斜視図である。
【図４】枕木移動防止手段における、レールからの水平力に対する抵抗力を高めるための形態の種々の例を示す図である。
【図５】枕木移動防止手段の取付位置の他の例を示す平面図である。
【図６】枕木移動防止手段の取付位置の他の例を示す平面図である。
【図７】本発明の枕木の水平移動防止構造の他の例を示す斜視図である。
【図８】図７に示す構造の構成部材である棒状体の正面図である。
【図９】図７に示す長孔に代えて、切欠溝を形成させてなる枕木移動防止手段の一例を示す図である。
【図１０】図９に示す切欠溝を有する一対の板状のコンクリート部材に、略逆Ｕ字状に変形させた部分を有する棒状体を挿通させた状態を示す図である。
【図１１】本発明の枕木の水平移動防止構造の他の例を示す斜視図である。
【発明を実施するための形態】
【００１１】
以下、図面を参照しつつ、本発明の枕木の水平移動防止構造の種々の形態例を説明する。
図１中、本発明の枕木の水平移動防止構造１は、コンクリート枕木２と、高さ調整コンクリート体３と、枕木移動防止手段４を含むものである。
コンクリート枕木２の上面には、一対のレール５が敷設されている。
一対の高さ調整コンクリート体３，３の間の空間には、バラスト６が充填されている。
コンクリート枕木２と高さ調整コンクリート体３の間には、弾性材（例えば、合成ゴム体）７が配設されている。
枕木移動防止手段４は、図２に示すように、コンクリート枕木２の両端部２ａの間の中間部２ｂである幅が漸減する部分（両端部２ａと中央部２ｃの間の部分）に対して、上方から見て、左右方向の中心線から左右の各部分について、水平断面が略ハの字状である一対（２つ）の部材（枕木２全体に対しては、４つの部材）として、形成されかつ取り付けられている。該部材は、コンクリート枕木２の幅が漸減する部分のみならず、この部分より内方（中央部２ｃの側）に例えば１０〜２０ｃｍ程度延びて形成されてもよいし、あるいは、この部分より外方（両端部２ａの側）に例えば１０〜２０ｃｍ程度延びて形成されてもよいし、あるいは、この部分より内方及び外方の両方に例えば１０〜２０ｃｍ程度延びて形成されてもよい。本発明において、これらの場合においても、枕木２の幅が漸減する部分を含む領域に、部材（枕木移動防止手段４）が配設されることから、「水平断面が略ハの字状」に該当するものとする。
枕木移動防止手段４とコンクリート枕木２の間に、縁切材（通常、ゴム製の部材；図示せず）を介在させてもよい。縁切材は、図１〜図２の形態例の場合に限らず、枕木移動防止手段を図５〜図６等の他の位置に配設する場合（他の形態例の場合）においても、枕木移動防止手段とコンクリート枕木の間に介在させる形で配設することができる。
【００１２】
枕木移動防止手段４は、繊維補強コンクリート体からなる。本明細書中、「繊維補強コンクリート体」とは、補強繊維（例えば、鋼繊維等の金属繊維や、ビニロン繊維等の有機繊維や、炭素繊維等）、セメント、骨材及び水を含む混練物の硬化体を意味し、粗骨材及び細骨材を含むコンクリートと、粗骨材を含まず、細骨材のみを含むモルタルの両方を包含するものとする。
繊維補強コンクリート体の作製時の混練物の材料としては、例えば、セメント１００質量部、ポゾラン質微粉末（例えば、シリカフューム、フライアッシュ等）１０〜４０質量部、細骨材８０〜２００質量部、セメント補強用鋼繊維（混練物中の体積百分率で１〜３％）、
減水剤０．００１〜５質量部（固形分換算値）、及び、水１０〜３５質量部が挙げられる。
高さ調整コンクリート体３の上面から上方に突出した枕木移動防止手段４の上方部分は、鉛直方向に延びる板状の部分（図１、図３参照）として形成されており、コンクリート枕木２の側壁を、直接、または、図示しない縁切材（間隔材）を介して側方から支持している。
高さ調整コンクリート体３の上面よりも下方に位置する枕木移動防止手段４の下方部分（換言すると、高さ調整コンクリート体３の中に部分的に埋設された部分）は、上述の上方部分と連続して下方に板状の部分として延びて、板状の本体部４ａ（図３参照）の一部を形成するとともに、この板状の本体部の下端にて、両側の各々に向かって垂直に折曲して、全体として略逆Ｔ字状の鉛直方向の断面を有するように、２つの帯状の凸部４ｂを形成している。
【００１３】
帯状の凸部４ｂは、レール５からの水平力に対する抵抗力を高めるためのものである。
本発明において、レール５からの水平力に対する抵抗力を高めるための形態としては、図１〜図２に示す略逆Ｔ字状の断面を有するもの以外に、例えば、図４に示す形態を例示することができる。
図４中、（Ａ）は、図３に示す例において、２つの帯状の凸部４ｂに代えて、１つの帯状の凸部を形成させたものであり、全体として略Ｌ字状の鉛直方向の断面を有する形態を示す。
（Ｂ）は、図３に示す例において、帯状の凸部４ｂを省いて、板状の本体部のみを形成させるとともに、板状の本体部の、高さ調整コンクリート体３の中に埋設されることとなる部分において、１つ以上の貫通孔（例えば、丸孔、角孔等）を設けてなる形態を示す。なお、（Ｂ）は、貫通孔の軸線を通る鉛直方向の切断面で切断した断面図として示している。貫通孔には、高さ調整コンクリート体３を構成するコンクリートが充填されている。このため、凸部等を形成させなくても、レール５からの水平力に対する抵抗力を高めることができる。
（Ｃ）は、板状の本体部において、図３や図４の（Ａ）に示す凸部とは異なり、複数の溝状の凹部を形成させた形態を示す。
（Ｄ）は、高さ調整コンクリート体３の上面から上方に突出した上方部分については、図３に示す例と同様に、一定の厚みを有する板状に形成させ、かつ、下方部分（高さ調整コンクリート体３の上面の高さ地点から下方の部分）については、下方に向かって水平方向の断面積が漸増するように形成させた形態を示す。
（Ｅ）は、上端から下端に亘り、下方に向かって水平方向の断面積が漸増するように形成させた形態を示す。
【００１４】
枕木移動防止手段４は、図１及び図２に示すように、コンクリート枕木２の中間部２ｂに、上方から見た場合に、水平断面が略ハの字状である一対（２つ）の部材（枕木２全体に対しては、４つの部材）として、形成されかつ取り付けてもよいが、図１及び図２に示す形態に代えて、例えば、図５〜図６に示すように形成されかつ取り付けてもよい。
図５中、枕木移動防止手段１１は、コンクリート枕木２の一方の端部（図示を省略した他方の端部についても同様である。）に対して、上方から見て、水平断面が略Ｌ字状である一対（２つ）の部材として、形成されかつ取り付けられている。
図６中、枕木移動防止手段１２は、コンクリート枕木２の一方の端部（図示を省略した他方の端部についても同様である。）に対して、上方から見て、水平断面が略コの字状である１つの部材として、形成されかつ取り付けられている。
【００１５】
枕木移動防止手段４の他の形態例としては、図３〜図４に示すような繊維補強コンクリートに対して凸部、凹部、孔、または断面積の変化を与える形態の他に、図７〜図１１に示すような繊維補強コンクリート以外の部材を用いたものが挙げられる。
図７中、枕木移動防止手段２１は、繊維補強コンクリートからなりかつ長孔２３を有する一対（２つ）のコンクリート部材２２（図１〜図２に示すものと同様に、略ハの字状に、コンクリート枕木２を挟み込んだもの）と、長孔２３に挿通した、２本の鉄筋（棒状体）２４ａ，２４ｂを相互に固着してなる棒状体２４とからなる。この棒状体２４は、鉄筋２４ａと鉄筋２４ｂを熔接等によって固着させた後、長孔２３に対応する鉄筋２４ｂの位置（２箇所）にて、鉄筋２４ｂの一部を切り落とし、２つの切欠き２４ｃを形成させてなるものである。棒状体２４は、図示しないナット等の固着具を用いて、コンクリート部材２２に固着させてもよい。
【００１６】
棒状体２４を用いることによって、レールからの水平力に対する抵抗力を、より高めることができ、また、枕木移動防止手段２１の運搬や設置場所での打ち込みの際に、安定性（例えば、コンクリート枕木からの外れにくさ）を高めることができる。
なお、図７中、一対（２つ）のコンクリート部材２２の各々の下端に、内方に向けて突出した帯状の凸部（図示せず；例えば、図４の（Ａ）に示す形態を有するもの）を形成させてもよい。
図７において、長孔２３に代えて、丸孔を形成させ、かつ、棒状体２４に代えて、断面が略円形の１本の棒状体（例えば、鉄筋）を用いてもよい。
また、図７において、長孔２３に代えて、図９に示すように、コンクリート部材３１に切欠溝３２を形成させ、かつ、棒状体２４に代えて、図１０に示すように、切欠溝３２に支持させる部分が略逆Ｕ字状に形成され、かつ他の部分が直線状に形成された１本の棒状体３３（例えば、鉄筋）を用いてもよい。
【００１７】
図１１は、図１〜図３に示す枕木移動防止手段４に代えて、コンクリート枕木２の中間部２ｂ（幅が漸減する部分；図２参照）に配設させるために用いることができる枕木移動防止手段４１を示す。
枕木移動防止手段４１は、繊維補強コンクリート体からなる一対のコンクリート部材４２（下端の内方側に、帯状の凸部４２ａを有するもの）と、一対のコンクリート部材４２の中に両端が埋設され、かつ高さ調整コンクリート体（図示せず）の中に略Ｕ字状の形状になるように埋設するためのＵ型鉄筋４３〜４６の組み合わせである。なお、帯状の凸部４２ａ及びＵ型鉄筋４３〜４６は、いずれも、本発明における「レールからの水平力に対する抵抗力を高めるための形態」に該当する。
【００１８】
Ｕ型鉄筋４３〜４６は、コンクリート枕木の幅が大きい側（図１１における手前の側）から、Ｕ型鉄筋４３、Ｕ型鉄筋４４、Ｕ型鉄筋４５、Ｕ型鉄筋４６の順に、等間隔で配設されている。また、Ｕ型鉄筋４３、４６は、Ｕ型鉄筋４４、４５に比べて、長尺に形成されている。Ｕ型鉄筋４３〜４６におけるＵ型の深さは、同じである。
Ｕ型鉄筋４３〜４６は、高さ調整コンクリートへの応力伝達と、高さ調整コンクリートの角欠け耐力の向上に関わるとともに、コンクリート枕木へのコンクリート部材４２の取り付けが容易になるという作用を有する。
【符号の説明】
【００１９】
１  枕木の水平移動防止構造
２  コンクリート枕木
２ａ  両端部
２ｂ  中間部
２ｃ  中央部
３  高さ調整コンクリート体
４  枕木移動防止手段
４ａ  板状の本体部
４ｂ  帯状の凸部
５  レール
６  バラスト
７  弾性材（合成ゴム体）
１１，１２，２１  枕木移動防止手段
２２  コンクリート部材
２３  長孔
２４  棒状体
２４ａ，２４ｂ  鉄筋
２４ｃ  切欠き
３１  コンクリート部材
３２  切欠溝
３３  棒状体
４１  枕木移動防止手段
４２  コンクリート部材
４２ａ  帯状の凸部
４３，４４，４５，４６  Ｕ型鉄筋
【図１】
2016037737.tif 000003
【図２】
2016037737.tif 000004
【図３】
2016037737.tif 000005
【図４】
2016037737.tif 000006
【図５】
2016037737.tif 000007
【図６】
2016037737.tif 000008
【図７】
2016037737.tif 000009
【図８】
2016037737.tif 000010
【図９】
2016037737.tif 000011
【図１０】
2016037737.tif 000012
【図１１】
2016037737.tif 000013